(57)【要約】【課題】肘部分から手首までを支持し、パソコン入力作業時の負担を軽減する肘掛スタンドを提供する。【解決手段】肘掛スタンド１０は、長方形状のロアプレート１５に、長方形状で前記ロアプレートより少なくとも長手方向により長いアッパープレート１６を端面を面一にして重ね合わせ、一端部１１ａに鉤状の係止部１７を形成した肘掛部材１１と、支柱２０の上端にホルダー２１を配設し、下端にベース２３を配設した脚部１２とから構成する。そして、該肘掛スタンド１０は、前記係止部１７を机４０類の側縁上角部４０ａに係止させて立設され、前記アッパープレート上面が机類上面と略面一になるようにした。【選択図】図１
2007307263.tif 000002
【特許請求の範囲】
【請求項１】
肘掛部材と、該肘掛部材を支持する脚部とからなる肘掛スタンドであって、前記肘掛部材の長手方向の一端部に形成された鉤状の係止部を机類の側縁上角部へ係止可能に設け、該肘掛部材の上面と該机類上面とが略面一に保持されるようにしたことを特徴とする肘掛スタンド。
【請求項２】
前記脚部は、前記肘掛部材を支持するホルダーと、該ホルダーに挿入される支柱と、該支柱の下端部に固定されるベースとからなり、該ホルダーに、該支柱の先端部を固定する固定手段を設けて、前記脚部の長さを調節自在に構成したことを特徴とする請求項１に記載の肘掛スタンド。
【請求項３】
前記肘掛部材の長手方向の他端と前記ホルダーの上端とを連結して、該肘掛部材を前記脚部に対して倒伏可能に設けたことを特徴とする請求項１又は請求項２のいずれかに記載の肘掛スタンド。
【請求項４】
前記肘掛部材の係止部内面と、前記ベースの下面とに、ゴム製若しくは合成樹脂製の滑り止め部材を貼着したことを特徴とする請求項１乃至請求項３のいずれかに記載の肘掛スタンド。
【請求項５】
前記肘掛部材の上面の全体又は一部に、クッション材を設けたことを特徴とする請求項１乃至請求項４のいずれかに記載の肘掛スタンド。
【請求項６】
前記クッション材を係止手段により着脱自在に設けたことを特徴とする請求項１乃至請求項５のいずれかに記載の肘掛スタンド。
【発明の詳細な説明】
【技術分野】
【０００１】
本発明は、肘をかけて、腕を安楽に支持する肘掛スタンドに関するものである。
【背景技術】
【０００２】
パソコンへの入力作業において、マウスを操作することは、手首、肘等に負担をかけることがある。そこで、上記操作による負担を軽減するために、衝撃緩衝性を有する合成樹脂材によって手首を支持する構成のマウスパッド等が既に知られている。
【０００３】
また、上記パソコンへの入力作業に伴う上記負担を軽減するために、専用の机として、机上面から連続してマウス台を拡張したものが、知られている。
【特許文献１】引用なし
【発明の開示】
【発明が解決しようとする課題】
【０００４】
しかしながら、上記のマウスパッド等は、手首の部分のみを支持するものが多く、また、机上面に戴置して使用するので、肘付近を支えることができない。そのため、机上端角部で下腕部が圧迫される等によって、腕部分の血流が阻害されるおそれがある。
また、マウス台を拡張したパソコン専用机にあっては、パソコン不使用時に邪魔になったり、やはり肘部分が浮いてしまうために、効果的に腕や肘部分にかかる負担を軽減することができない。
【０００５】
そこで、本発明は、肘部分から手首までを支え、パソコン入力作業時の負担を軽減する肘掛スタンドを提供することを目的とする。
【課題を解決するための手段】
【０００６】
請求項１に記載の肘掛スタンドは、肘掛部材と、該肘掛部材を支持する脚部とからなる肘掛スタンドであって、前記肘掛部材の長手方向の一端部に形成された鉤状の係止部を机類の側縁上角部へ係止可能に設け、該肘掛部材の上面と該机類上面とが略面一に保持されるようにしたことを特徴とする。
【０００７】
請求項２に記載の肘掛スタンドは、請求項１において、前記脚部は、前記肘掛部材を支持するホルダーと、該ホルダーに挿入される支柱と、該支柱の下端部に固定されるベースとからなり、該ホルダーに、該支柱の先端部を固定する固定手段を設けて、前記脚部の長さを調節自在に構成したことを特徴とする。
【０００８】
請求項３に記載の肘掛スタンドは、請求項１又は請求項２のいずれかにおいて、前記肘掛部材の長手方向の他端と前記ホルダーの上端とを連結して、該肘掛部材を前記脚部に対して倒伏可能に設けたことを特徴とする。
【０００９】
請求項４に記載の肘掛スタンドは、請求項１乃至請求項３のいずれかにおいて、前記肘掛部材の係止部内面と、前記ベースの下面とに、ゴム製若しくは合成樹脂製の滑り止め部材を貼着したことを特徴とする。
【００１０】
請求項５に記載の肘掛スタンドは、請求項１乃至請求項４のいずれかにおいて、前記肘掛部材の上面の全体又は一部に、クッション材を設けたことを特徴とする。
【００１１】
請求項６に記載の肘掛スタンドは、請求項１乃至請求項５のいずれかにおいて、前記クッション材を係止手段により着脱自在に設けたことを特徴とする。
【発明の効果】
【００１２】
請求項１に記載の肘掛スタンドによれば、肘掛部材上面と机類上面とが略面一に保持されるようにしたので、手首から肘先までを該肘掛部材上で略一直線に伸ばすことができる。そのため、疲労の軽減を図ることができる。
【００１３】
請求項２に記載の肘掛スタンドによれば、脚部の長さを調節できるようにしたので、使用する机類の盤面高さに合わせて、肘掛部材の高さを調節することができる。したがって、文机、勉強机等、机類の種類を問わずに該肘掛スタンドを使用することができる。
【００１４】
請求項３に記載の肘掛スタンドによれば、肘掛部材は脚部に対して倒伏可能に設けられる。そのため、該肘掛スタンドは折り畳めることができ、該肘掛スタンドを使用しない際には、机類と書棚の隙間等を有効に利用して収納することができる。
【００１５】
請求項４に記載の肘掛スタンドによれば、係止部とベース下側面に滑り止め部材を貼着したので、肘掛スタンドが机から外れたり、床面を滑ることを防ぐことができる。
【００１６】
請求項５に記載の肘掛スタンドによれば、肘掛部材の上面にクッション材を取付けたので、該肘掛部材上に乗せる肘にかかる重さは満遍なく分散され、より安楽に該肘掛部材へ肘を掛けることができる。
【００１７】
請求項６に記載の肘掛スタンドによれば、クッション材を着脱自在にしたので、使用者の好みに合わせてクッション材を自在に用いることができ、また、洗濯等によりクッション材を清潔に保つことができる。
【実施例１】
【００１８】
本発明の肘掛スタンドによる実施例を、添付した図面に基づいて説明する。図１及び図２に肘掛スタンドの全体図を示し、図３及び図４には、肘掛部材と脚部との連結部分付近の部分拡大図を示す。
【００１９】
本実施例の肘掛スタンド１０は、以下の構成を備える肘掛部材１１と脚部１２とからなる。
【００２０】
肘掛部材１１は、長方形状の板材からなるロアプレート１５と、長方形状の板材でロアプレート１５より少なくとも長手方向により長いアッパープレート１６とからなり、両プレート１５，１６の端面を面一にして重ね合わせ、一端部１１ａに鉤状の係止部１７を形成する。そして、ロアプレート１５は、下面他端部１５ａ付近にネジ孔１８ａが設けられ、中央付近に有底の穴部１９が配設される。また、一端部１１ａの係止部１７内面において、アッパープレート１６側下面１７ａ及びロアプレート１５一端面１７ｂに、ゴム製若しくは合成樹脂製の滑り止めシートを夫々貼着する。
【００２１】
脚部１２は、支柱２０の上端２０ａに金属製のホルダー２１を配設し、下端にベース２３を配設してなる。
【００２２】
ホルダー本体２１ａは、上端部にロアプレート１５を収める断面凹形状の凹部２５を形成し、該凹部２５の後面側近傍にネジ孔１８ｂが設けられる。また、後面側に下端部から所定長さの凹溝２６を設け、該凹溝２６下端付近に、ネジ孔２７を設けた断面コ字形状のストッパ枠２８を配設する。そして、図１において示すように、ホルダー本体２１ａ後面側には凹溝２６を覆うように裏蓋２２が取付けられる。
【００２３】
ベース２３は、金属製で横長形ブロック形状とされ、その中央部に形成された開口部２３ａにブラケット３０が嵌合固定されている。さらにベース２３は、左右両端の上角部を半円状に面取り加工を施し、その下面２３ｂにはゴム製若しくは合成樹脂製の滑り止めシート（図示せず）が貼着される。
【００２４】
支柱２０は、金属製の角パイプ材からなり、上端部２０ａは、ホルダー２１のストッパ枠２８に挿通して凹溝２６へ挿嵌すると共に、ストッパ枠２８のネジ孔２７に螺合する固定ネジ２９によって凹溝２６内に押圧固定される。また、支柱２０の下端部２０ｂはベース２３のブラケット３０に嵌合固定される。
【００２５】
上記の肘掛部材１１とホルダー２１は、木ねじ３５をネジ孔１８ａ，１８ｂにより、蝶番３６を取り付けることで回動自在に連結される。そして、肘掛部材１１が開ききったときには、肘掛部材１１が脚部１２に対して略直角になるように設けられている。
【００２６】
本実施例において好ましくは、アッパープレート１６の後端部上縁を斜めに切除すると共に、側面の角部等を切除して面取り加工を施す。
【００２７】
また、アッパープレート１６上面全体に、合成樹脂材からなるクッション材を貼着するか、若しくはアッパープレート１６の一部にクッション材を面ファスナ等を用いて着脱可能に設けることもできる。
【００２８】
以上が本実施例の肘掛スタンド１０の構成であって、以下に使用方法を説明する。
肘掛スタンド１０は、図１に示すように、肘掛部材１１の係止部１７が机４０の側縁上角部４０ａに係止するように脚部１２の長さを調節し、机４０の手前側かつ使用者の利き手側に立設する。このとき、肘掛部材１１上に使用者が肘をかければ、手首から肘まで略真っ直ぐに、該肘掛スタンド１０によって支持されるので、手首や、下腕中間部などに余計な負担がかからず、より安楽にマウス等の操作をすることができる。
【００２９】
また、肘掛スタンド１１を折り畳む際には、机４０から係止部１７を外し、肘掛部材１１を脚部１２側に倒伏する。このとき、ロアプレート１５の穴部１９に、ストッパ枠２８に螺合した固定ネジ２９の頭部が収まり、肘掛部材１１のロアプレート１５下面が、脚部１２のホルダー２１後面に当接するので、肘掛スタンド１０はコンパクトに成る。
【００３０】
本実施例では、肘掛部材１１のアッパープレート１６上面は、平らに形成されているものを示したが、下腕の曲線に合わせて凹凸を設けて形成しても良い。そして、アッパープレート１６上面に貼着するクッション部材についても、腕の形状に合わせて、凹凸を設ける構成にすることができる。
【図面の簡単な説明】
【００３１】
【図１】本発明の実施例１に係る肘掛スタンドの前面側からの斜視図である。
【図２】本発明の実施例１に係る肘掛スタンドの後面側からの斜視図である。
【図３】本発明の実施例１に係る肘掛スタンドの脚部上端付近の部分拡大図である。
【図４】図３のＡ−Ａ線断面図である。
【符号の説明】
【００３２】
１０…肘掛スタンド、１１…肘掛部材、１２…脚部、
１５…ロアプレート、１６…アッパープレート、１７…係止部、１８ａ，１８ｂ…ネジ孔、１９…穴部、
２０…支柱、２１…ホルダー、２１ａ…ホルダー本体、２２…裏蓋、２３…ベース、
２５…凹部、２６…凹溝、２７…ネジ孔、２８…ストッパ枠、２９…固定ネジ、
３０…ブラケット、
３５…木ねじ、３６…蝶番、
４０…机。
【図１】
2007307263.tif 000003
【図２】
2007307263.tif 000004
【図３】
2007307263.tif 000005
【図４】
2007307263.tif 000006